(57)【要約】【課題】  綴じ処理する位置に画像データを印刷しないように加工する場合に、できるだけ印刷すべき画像データのサイズが縮小されない加工処理を優先して適用して、シートに印刷される画像の可読性が下がらないようにステイプル処理する。【解決手段】    複数のシートを針を用いずに綴じる綴じ処理を行う綴じ手段と、画像データをシートに印刷する印刷手段と、前記綴じ手段が綴じ処理する位置に、前記印刷手段が画像データを印刷しないように異なる加工処理を行う複数の加工手段と、前記複数の加工手段のうち、印刷すべき画像データのサイズを縮小する加工手段よりも、当該画像データのサイズを縮小しないいずれかの加工手段を優先して選択する選択手段と、前記画像データに選択された加工処理を実行する画像処理手段と、を備えることを特徴とする。【選択図】  図１０
2014109605.tif 000002
【特許請求の範囲】
【請求項１】
複数のシートを針を用いずに綴じる綴じ処理を行う綴じ手段と、
画像データをシートに印刷する印刷手段と、
前記綴じ手段が綴じ処理する位置に、前記印刷手段が画像データを印刷しないように異なる加工処理を行う複数の加工手段と、
前記複数の加工手段のうち、印刷すべき画像データのサイズを縮小する加工手段よりも、当該画像データのサイズを縮小しないいずれかの加工手段を優先して選択する選択手段と、
前記画像データに選択された加工処理を実行する画像処理手段と、
を備えることを特徴とする印刷装置。
【請求項２】
前記選択手段は、前記複数の加工手段のうち、画像データのサイズを縮小しないいずれかの加工手段により前記綴じ手段が綴じ処理する位置を確保できない場合、画像データのサイズを縮小する加工手段を選択することを特徴とする請求項１記載の印刷装置。
【請求項３】
複数の加工手段のうち、１つの加工手段は、前記画像データの印刷位置をシートに設定される印刷基準位置から対角方向にシフトすることを特徴とする請求項１記載の印刷装置。
【請求項４】
複数の加工手段のうち、１つの加工手段は、前記画像データの印刷位置をシートに設定される印刷基準位置からＸ方向にシフトすることを特徴とする請求項１記載の印刷装置    
【請求項５】
複数の加工手段のうち、１つの加工手段は、前記画像データの印刷位置をシートに設定される印刷基準位置からＹ方向にシフトすることを特徴とする請求項１記載の印刷装置。
。
【請求項６】
複数の加工手段のうち、１つの加工手段は、前記画像データの印刷位置をシートに設定される印刷基準位置からＸ方向およびＹ方向にシフトすることを特徴とする請求項１記載の印刷装置。
。
【請求項７】
複数の加工手段のうち、１つの加工手段は、前記画像データを縮小することを特徴とする請求項１記載の印刷装置。
【請求項８】
前記１つの加工手段は、全ページに同一の加工処理を行うことを特徴とする請求項３乃至５のいずれか１項に記載の印刷装置。
【請求項９】
前記１つの加工手段は、必要なページに同一の加工処理を行うことを特徴とする請求項６または７に記載の印刷装置。
【請求項１０】
複数のシートを針を用いずに綴じる綴じ処理を行う綴じ手段と、画像データをシートに印刷する印刷手段とを有する印刷装置であって、
前記綴じ手段が綴じ処理する位置に、前記印刷手段が画像データを印刷しないように異なる加工処理を行う複数の加工工程と、
前記複数の加工工程のうち、印刷すべき画像データのサイズを縮小する加工工程よりも、当該画像データのサイズを縮小しないいずれかの加工手段を優先して選択する選択工程と、
前記画像データに選択された加工処理を実行する画像処理工程と、
を備えることを特徴とする印刷装置の制御方法。
【請求項１１】
請求項１０に記載の印刷装置の制御方法をコンピュータに実行させることを特徴とするプログラム。
【発明の詳細な説明】
【技術分野】
【０００１】
本発明は、シートに綴じ処理を行う印刷装置、印刷装置の制御方法及びプログラムに関するものである。
【背景技術】
【０００２】
プリンタ機能をもつ印刷装置には、出力する印刷紙を後処理するシート処理装置が付属しているものがある。なお、コピー機能処理を行う複合機についても同様である。
このシート処理装置の持つ代表的な機能としてステイプル綴じ機能がある。ステイプル綴じ機能は金属の針金を使用して紙を綴じる機能である。ステイプル綴じされた印刷物は部ごとに取り扱いやすいため、複数ページの出力物を扱う際に広く使用されている。
【０００３】
しかし、最近では金属針を使用している面から環境への配慮が行われ、針を使用しない綴じ方法が考案されている。例えば綴じる一組の印刷紙の一部をまとめてくりぬくように切り取り、その切り先を織り込んで綴じる方法が考案されている（特許文献１参照）。
その他にも、糊で紙を貼りつけることで綴じる方法や、特殊な刃で紙を押しつけ、紙をかしめとることで綴じる方法など、金属針を使用しない様々な綴じ方法が実用化されてきている。
【先行技術文献】
【特許文献】
【０００４】
【特許文献１】特開平８-３００８４７号公報
【発明の概要】
【発明が解決しようとする課題】
【０００５】
このように構成された印刷装置において、針使用ステイプル綴じまたは針不使用ステイプル綴じを行うことによって以下の弊害が起きる場合がある。それは出力された画像の一部分にステイプルが覆いかぶさってしまうことにより、画像の可読性が下がるという点である。
【０００６】
針でステイプル綴じを行う際、先頭ページの画像の一部がステイプルの打たれる領域に存在する場合、針が打たれた部分のみにおいて画像の可読性が下がる。さらに２ページ目以降の画像においては、画像の一部がステイプルの打たれる領域に存在する場合、読み取ることができない領域が発生する恐れがある。
【０００７】
このような可読性の低下は、針を使わないステイプル綴じを行う場合に、より顕著に表れる。なぜなら、綴じる強度を一定以上持たせるためには紙に加工する面積が大きくなるからである。金属針を使用したステイプル綴じの場合は、針が印刷紙束の下まで貫通して綴じていれば一定の強度が得られる。
しかし、例えば糊付けで綴じる場合は、糊付けする紙の面積がある程度大きくならないと綴じる強度は得られない。同様に、紙をくり抜いて綴じる方式でもくり抜く紙の面積が大きくならないと強度は得られず、また押しつけて綴じる方式でも押しつけて綴じる部分の面積が大きいほど綴じる強度は強くなる。
【０００８】
また、従来の金属針で綴じていた方式で、針部分が占有していた綴じるための領域ほど細い領域部分の紙加工では紙を綴じる強度が出ない可能性が高い。そのため、針を使用しないこのような綴じ方式をユーザが使用した場合、ユーザの望む綴じる強度を得るために従来よりも大きな領域を綴じるために加工する必要がある。
そのため、綴じた印刷物を閲覧する場合、ユーザの可視領域が従来よりも狭くなるという問題が生じる。
本発明は、上記の課題を解決するためになされたものである。本発明の目的は、綴じ処理する位置に画像データを印刷しないように加工する場合に、できるだけ印刷すべき画像データのサイズが縮小されない加工処理を優先して適用して、シートに印刷される画像の可読性が下がらないように綴じ処理を実行することである。
【課題を解決するための手段】
【０００９】
上記目的を達成する本発明の印刷装置は以下に示す構成を備える。
複数のシートを針を用いずに綴じる綴じ処理を行う綴じ手段と、画像データをシートに印刷する印刷手段と、前記綴じ手段が綴じ処理する位置に、前記印刷手段が画像データを印刷しないように異なる加工処理を行う複数の加工手段と、前記複数の加工手段のうち、印刷すべき画像データのサイズを縮小する加工手段よりも、当該画像データのサイズを縮小しないいずれかの加工手段を優先して選択する選択手段と、前記画像データに選択された加工処理を実行する画像処理手段と、を備えることを特徴とする。
【発明の効果】
【００１０】
本発明によれば、綴じ処理する位置に画像データを印刷しないように加工する場合に、できるだけ印刷すべき画像データのサイズが縮小されない加工処理を優先して適用して、シートに印刷される画像の可読性が下がらないように綴じ処理を実行できる。
【図面の簡単な説明】
【００１１】
【図１】印刷装置の構成を説明するブロック図である。
【図２】図１に示したシート処理部の構成を説明する断面図である。
【図３】シート処理装置の綴じ処理を説明する断面図である。
【図４】印刷装置におけるシート処理状態を説明する図である。
【図５】印刷装置におけるシート処理状態を説明する図である。
【図６】印刷装置におけるシート処理状態を説明する図である。
【図７】印刷装置におけるシート処理状態を説明する図である。
【図８】印刷装置に表示されるＵＩ画面の一例を示す図である。
【図９】印刷装置の制御方法を説明するフローチャートである。
【図１０】印刷装置の制御方法を説明するフローチャートである。
【発明を実施するための形態】
【００１２】
次に本発明を実施するための最良の形態について図面を参照して説明する。
＜システム構成の説明＞
〔第１実施形態〕
図１は、本実施形態を示す印刷装置の構成を説明するブロック図である。なお、本実施形態では、印刷装置に読み取り機能を備えて、コピー機として使用可能な例を説明する。
図１において、ＣＰＵ１０１はシステムの制御部であり、装置全体を制御する。ＲＯＭ１０２はＣＰＵの制御プログラムを格納するためのものである。
【００１３】
ＳＲＡＭ１０３は、オペレータが登録した設定値や装置の管理データ等や各種ワーク用バッファ等を格納するものである。電池によりバックアップされており、装置の電源を切っても記憶内容が消えない不揮発性のＳＲＡＭである。読み取られた画像データもここに格納される。
【００１４】
ＤＲＡＭ１０４は、プログラム制御変数等を格納するためのものである。操作部１０５は機器内の情報を表示するユーザとのインターフェイス部である。読み取り部１０６は画像データを読み取り、バイナリデータに変換する装置でありこれを用いて画像送信機能の原稿読み取りを行なうものである。記録部１０７は、画像データを記録紙に出力する装置である。画像処理部１０８は画像送信機能で扱う画像データの符号化復号化処理を行う。それぞれの制御部はデータバス１１０を介して繋がっており、画像データはデータバス１１０を通じて転送される。
【００１５】
また、画像データをシートに印刷する記録部１０７は、シート処理部１０９に接続されており、記録部１０７で印刷された出力紙はシート処理部に送られる。シート処理部１０９は入力された出力紙を揃えたり、出力トレイを切り替えたり、ステイプル綴じを行ったりする、後処理を行う箇所である。なお、本実施形態では、複数のシートを針を用いずに綴じる綴じ処理を行う綴じ手段と、針を用いる綴じ処理のいずれかを選択して綴じ処理を行う場合を示す。しかしながら、本発明は、これに限られず、複数のシートを針を用いずに綴じる綴じ処理を行う綴じ手段以外の綴じ処理手段を備えていない印刷装置にも適用可能である。
なお、本実施形態では、ＣＰＵ１０１がシート処理部１０９が綴じ処理する位置に、記録部１０７が画像データを印刷しないように異なる加工処理を行う複数の加工手段を備えている。複数の加工手段については、図１０において詳述する。
【００１６】
本実施形態では、読み取り部１０６から原稿画像を読み取ってバイナリデータに変換し、読み取った画像データをＳＲＡＭ１０３に一端格納する。そして、画像処理部１０８で画像データ変換してから記録部１０７で紙に印刷し、シート処理部１０９で後処理を行うような複合機を例として挙げる。
図２は、図１に示したシート処理部１０９の構成を説明する断面図である。本例は、印刷装置の筐体内部に設置されているシート処理装置の例を示している。
【００１７】
図２において、２０１はシート処理装置で、記録部１０７と接続されている。記録部１０７からは搬送ローラ２０４を通して紙が送られてくる。２０５は両面印刷時に紙を反転させるための搬送ローラであり、反転時にはここを通って記録部１０７に再度入って裏面の印刷を行う。その場合も搬送ローラ２０４を通ってシート処理装置２０１に出力紙が送られる。
【００１８】
シート処理装置では出力紙（シート）を揃えたり、移動したりする機能があるが、ここではステイプル綴じ機能について注目する。２０２は針使用のステイプル止めを行う装置である。ステイプル針のような金属針を使用して紙を綴じる機能を持つステイプル綴じ部である。
【００１９】
２０３は針を使用しないで紙を綴じる針不使用のステイプル綴じ機能を提供するステイプル綴じ部である。針不使用のステイプル綴じの方法としては前記のとおり多数あるが、ここでは紙を押しつけてかしめとって綴じ合わせる方式の物を搭載している例とする。
このようにシート処理装置２０１に針使用ステイプル部２０２と針不使用ステイプル部２０３が併設されているようなシート処理装置を例として挙げる。
ただし、針不使用ステイプル部のみの構成であっても、本明細書中に記載した課題は発生するため、針不使用ステイプル部だけの構成であっても構わない。
【００２０】
図３は、本実施形態を示すシート処理装置の綴じ処理を説明する断面図である。本例は、針不使用ステイプルの一例として、紙を押しつけてかしめとって綴じ合わせる方式の仕組みの例を示した例である。以下、針不使用のステイプル綴じ機能を使用する場合、前述の通り紙に加工する箇所が大きくなるという要因について説明する。
図３の（ａ）は、綴じる領域が広くなると原稿の可視領域が狭くなる様子を示し、本例では隅を１点綴じる場合の例を挙げている。金属針を使用したステイプル処理例３０１では原稿の端に打っても綴じる強度があるため、原稿をめくった場合に次のページ部分の可視領域が広い。
しかし、金属針を使用しない方法でステイプル綴じを行ったステイプル処理例３０２では、綴じる強度を持たせるため、綴じ部分の面積が広くなる。すると、金属針を使用した場合より綴じ位置よりも内側まで綴じ部分が来るため、原稿をめくった場合に次のページ部分の可視領域が狭くなる。
【００２１】
金属針を使用したステイプル綴じの場合は、針が印刷紙束の下まで貫通して綴じていれば一定の強度が得られる。しかし、押しつけて綴じる方式では押しつけて綴じる部分の面積が大きくしなければ綴じる強度が出なくなる。
また、上記のようにステイプル綴じを使用した場合に印刷物が見にくくなるという点が、針不使用のステイプル綴じ機能を使用した場合にさらに顕著に表れる課題を図３を参照してさらに説明する。
なお、図３の（ｃ）、（ｄ）は、ステイプル針を使用しないステイプル処理の状態を示す。また、図３の（ｃ）は、綴じ処理されるシート上の箇所にトナー画像が載っていない場合の綴じ処理例を示す。さらに、図３の（ｄ）は、綴じ処理されるシート上の箇所にトナー画像が載っている場合の綴じ処理例を示す。
図３の（ｂ）において、針を使用しないステイプル処理例では、従来の針仕様ステイプルと同じく、ユーザによって指定された原稿３００の箇所に綴じ合わせを行う処理である。本例は、原稿３００の左上に綴じ合わせを行う例を示している。この綴じ合わせ部をどのように圧着させるかを以下に説明する。
【００２２】
図３の（ｃ）において、綴じ合わせる前の状態３１０は、出力原稿３１３を横から見ていることを示している。ここでは３枚の出力原稿を綴じ合わせようとしている。圧着部では、特殊な形状の刃３１１、３１２が出力紙を挟み込むように準備している。
【００２３】
実際に圧着した状態３２０では、特殊な刃３２１、３２２が出力紙３２３を挟み込んで圧着する。ここで刃により紙どうしを圧着することで綴じ合わせることができる。このような方式により金属針を使用しないでステイプル綴じを行うことを可能としている。
しかしこのような針不使用ステイプル綴じの方式では、綴じ部にトナーが乗っている場合に圧着力が図３の（ｄ）に示すように低下してしまうという問題がある。
【００２４】
図３の（ｄ）において、綴じ合わせる前の状態４１０では、出力原稿４１３を横から見ていることを示している。ここでは前例と同じく３枚の出力原稿を綴じ合わせようとしている。圧着部では、特殊な刃４１１、４１２が出力紙を挟み込むように準備している。この３枚の出力原稿の中に、特に内側にトナー４１４が乗っている場合を考える。
【００２５】
このトナー４１４が載った状態で実際に圧着した状態４２０では、特殊な刃４２１、４２２が出力紙４２３を挟み込んで圧着するが、圧着部にトナー４２４が紛れ込んだ状態で圧着されることになる。この状態では紙どうしがしっかりと圧着できないため、圧着力が弱くなってしまう。
【００２６】
図４、図５、図６、図７は、本実施形態を示す印刷装置におけるシート処理状態を説明する図である。本例は、シフト操作による画像調整におりステイプル箇所に印刷すべき画像が印刷されないように調整する例である。なお、本例では、針不使用のステイプルを使用し左隅の一点で綴じる操作を例として挙げる。
図４において、各画像４０１、４０３、４０５はそれぞれステイプル領域に画像が載っているため、画像調整が必要である。まず、画像を対角にシフトすることによってステイプル領域を確保することができるかどうか調査する。
画像４０２は画像４０１を対角シフトすることによってステイプル領域を確保した一例である。ここで、画像４０３、４０５のように対角シフト操作のみでステイプル領域を確保することができない場合は、Ｘ軸シフトやＹ軸シフトを行うことによってステイプル領域が確保できるか調査する。画像４０４は画像４０３の画像をＸ軸シフトすることによってステイプル領域を確保した一例であり、画像４０６は画像４０５の画像をＹ軸シフトすることによってステイプル領域を確保した一例である。すべての画像において統一的なシフト操作を行うことが望ましいため、すべての画像において対角シフトのみでステイプル領域を確保できる場合は、すべての画像に対し同じ移動率で対角シフトを行う。
また、Ｘ軸シフトのみでステイプル領域を確保できる場合はすべての画像に対し同じ移動率でＸ軸シフトを行う。またすべての画像においてＹ軸シフトのみでステイプル領域を確保できる場合はすべての画像に対し同じ移動率でＹ軸シフトを行う。
画像４０１、画像４０２、画像４０３のいずれでもステイプル領域が確保できない場合、縮小して対角シフトを行う。
【００２７】
図５では、針不使用のステイプル綴じ機能を使用した出力物５０４の例を示し、左上隅の１点を綴じた場合の例を示している。この綴じ部を見た場合に、綴じるために用紙を押しつけてかしめとり綴じ合わせているが、この用紙に加工している部分を拡大した加工部分５０１で示す。この加工面積は針を使用した場合よりも大きくなるため、この部分にかからないように画像を調整するものである。
具体的な例としては、出力物の端から加工部分５０１までの距離を考える。出力物５０４において、上端部からの距離５０３をＹｍｍ、左端部からＸｍｍとすると、この箇所よりも端寄りに画像が載っている場合は見にくくなるため、この部分に画像が載らないように調整すると、調整された綴じ処理５０５が得られる。本例では、縮小処理とシフト移動を併用して綴じ位置に画像がかからないように調整した例である。
【００２８】
具体的には、出力物の横の長さをＡｍｍ、縦の長さをＢｍｍとすると、（Ｘ変倍率）＝（Ａ-Ｘ)÷Ａ、（Ｙ変倍率）＝（Ｂ-Ｙ)÷Ｂとして縮小率を求め、画像データを縮小処理する。さらにこの画像を出力紙の右下に移動して配置することで、画像の上端および左端に余白を設けることができる。
【００２９】
図６では、複数ページ集約レイアウトが設定されている際の画像調整の一例を示し、２ページを１枚に集約した画像６０１に対してステイプル処理する際、左上のステイプル領域が確保できない。そのため、上画像をＹ軸下にシフトすることによって上画像と下画像の間に生じた空白スペースを詰め、ステイプル領域を確保してステイプルした状態６０２を示している。
【００３０】
また、複数ページ集約レイアウトが設定されている際、特に４ページを１枚に集約した画像６０３の場合は、左上のステイプル領域が確保できないため上画像をＹ軸下にシフトし、上画像と下画像の間に生じた空白スペースを詰める。さらに左側の画像２枚をＸ軸右側にシフトし、左側の画像と右側の画像の間に生じた空白スペースを詰める。これらの操作によって、ステイプル領域を確保してステイプルした状態６０４を示している。
【００３１】
図７では、操作部１０５を用いて、ユーザが定型変倍を選択している場合に、縮小操作のみでステイプル領域を確保する一例を示す。具体的には、原稿画像サイズがＡ３の原稿画像７０１であり、ユーザが操作部１０５を用いてＡ４に定型変倍してコピーする設定を行い、かつステイプル領域に画像が載ってしまう場合は、縮小のみでステイプル領域を確保する。これは定型変倍を指定したユーザにとって画像の縮尺はそれほど考慮するべき問題ではないと考えられるからである。
図８は、本実施形態を示す印刷装置で表示されるＵＩ画面の一例を示す図である。本ＵＩ画面は、ＣＰＵ１０１の制御により操作部１０５に設けられる液晶表示部に表示される。以下、ユーザが前述のステイプル綴じ機能を使用する時の画像調整を設定する際の設定する手順を説明する。
【００３２】
ここでは操作部１０５の液晶表示部に表示されるＵＩ画面の遷移とともに説明する。
図８において、コピーの待機画面８０１において、ユーザがステイプル綴じ機能を使ったコピー機能を使用する場合には、まず仕上げボタン８０１Ａを押下する。これにより、ＵＩ画面は、仕上げ設定の画面８０２に遷移する。
ここで、ユーザはステイプルの種類とステイプルの位置を設定するために、実行ボタン８０２Ａを押下すると、ＵＩ画面は確認画面８０３に遷移するとともに、仕上げ設定の画面８０２で設定された各設定値はＳＲＡＭ１０３に保存される。
ＣＰＵ１０１は、続けて画像調整するかどうかの確認画面８０３において、ユーザに対し画像の自動調整の有無を問い合わせ、自動調整ボタン８０３Ａの押下指示、あるいはキャンセルするボタンの押下指示を促す。
確認画面８０３において、ＣＰＵ１０１は結果を確認し、ユーザにより、指示されるボタンに応じて、設定の結果となる「画像調整する」あるいは「画像調整しない」を登録値としてＳＲＡＭ(１０３)に保存する。
次に、ＣＰＵ１０１はステイプル位置に関する設定を確認する。設定の結果「左上」、「左下」、「右上」、「右下」の各設定を登録値としてＳＲＡＭ１０３に保存する。これで仕上げ設定については設定が完了するので、ＣＰＵ１０１は、ＵＩ画面の表示を一度待機画面８０４に戻す。
【００３３】
図９は、本実施形態を示す印刷装置の制御方法を説明するフローチャートである。本例は、コピージョブの処理例である。なお、各ステップは、ＣＰＵ１０１がＲＯＭ１０２に記憶された制御プログラムを実行することにより実現される。
本例では、操作部１０５に設けられる、コピージョブ開始ボタンがユーザにより押下されたら、コピージョブが開始する。
まず、ＣＰＵ１０１は、ステイプル設定があるかないかを判断する(Ｓ９０１)。ステイプル設定がないとＣＰＵ１０１が判断した場合は、原稿を読み込みつつ記録部１０７を用いて印刷を行い(Ｓ９０２)、コピージョブを完了する。
一方、ステイプル設定があるとＣＰＵ１０１が判断した場合は、自動画像調整の設定があるかどうかを判断する(Ｓ９０３)。ここで、自動調整の設定が「ＯＦＦ（ない）」とＣＰＵ１０１が判断した場合、ＣＰＵ１０１は、ステイプルの種類を判断する(Ｓ９０４)。
ここで、針なしステイプルを設定しているとＣＰＵ１０１が判断した場合は、原稿を読み込みながら調整が必要なページに対してはマスク処理を行いつつ、記録部１０７を用いて印刷を行う(Ｓ９０５)。
一方、Ｓ９０４で、針ありステイプルを設定しているとＣＰＵ１０１が判断した場合、原稿を読み込みつつ記録部１０７を用いて印刷する(Ｓ９０６)。そして、すべての印刷が完了次第、シート処理部１０９を用いて、ステイプル処理を行い(Ｓ９０７)、コピージョブが完了する。
【００３４】
一方、Ｓ９０３で、自動調整の設定が「ＯＮ（する）」とＣＰＵ１０１が判断した場合、ＣＰＵ１０１は、まず全ての原稿をスキャンして、スキャンした原稿の画像データをＤＲＡＭ１０４にスプールする(Ｓ９０８)。次に、ＣＰＵ１０１は、スプール後の全画像データに対して、ステイプル領域に画像が載っているページがあるかを判断する(Ｓ９０９)。ここで、ステイプル領域に画像が載っているページがないとＣＰＵ１０１が判断した場合、ＣＰＵ１０１は、記録部１０７を用いてそのまま印刷を行う(Ｓ９０１１)。一方、ステイプル領域に画像が載っているページがあるとＣＰＵ１０１が判断した場合、下記の通りに自動調整を行った上で(Ｓ９０１０)、印刷する(Ｓ９０１１)。その後、シート処理部１０９を用いてステイプル処理を行い(Ｓ９０７)、コピージョブが完了する。
【００３５】
図１０は、本実施形態を示す印刷装置の制御方法を説明するフローチャートである。本例は、画像調整手段の優先順位を段階的に下げる処理例である。なお、各ステップは、ＣＰＵ１０１がＲＯＭ１０２に記憶された制御プログラムを実行することにより実現される。以下、本実施形態では、ＣＰＵ１０１が適用可能な複数の加工手段について説明する。複数の加工手段のうち、１つの加工手段は、前記画像データの印刷位置をシートに設定される印刷基準位置から対角方向にシフトする。
また、他の加工手段は、前記画像データの印刷位置をシートに設定される印刷基準位置からＸ方向にシフトする。さらに、他の加工手段は、前記画像データの印刷位置をシートに設定される印刷基準位置からＹ方向にシフトする。さらに、他の加工手段は、前記画像データの印刷位置をシートに設定される印刷基準位置からＸ方向およびＹ方向にシフトする。さらに、他の加工手段は、前記画像データを縮小する。なお、本実施形態では、後述するように、Ｘ方向、Ｙ方向、対角に画像データをシフトする加工手段は、全ページに同一の加工処理を行うものとする。
これに対して、Ｘ方向のみ、Ｙ方向のみにシステムする場合には、必要なページに同一の加工処理を行うものとする。
そして、画像データのサイズを縮小しないいずれかの加工手段により前記綴じ手段が綴じ処理する位置を確保できない場合、画像データのサイズを縮小する加工手段を選択するようにＣＰＵ１０１が加工処理の適用を制御する。以下、複数の加工手段のうち、印刷すべき画像データのサイズを縮小する加工手段よりも、当該画像データのサイズを縮小しないいずれかの加工手段を優先して選択し、該選択された加工処理を画像データに適用してステイプル処理を行う制御を説明する。
自動調整を開始すると、まずＣＰＵ１０１は複数ページ集約レイアウトの設定がされているかどうか判断する(Ｓ１００１)。ここで、複数ページ集約レイアウトの設定があるとＣＰＵ１０１が判断した場合、ＣＰＵ１０１は、ＤＲＡＭ１０４にスプールされた全てのページに対応する画像データに対して空白スペース詰めの処理を行う（Ｓ１００２）。この処理後、ＣＰＵ１０１は、改めてステイプル領域に画像が載っているページがあるかを判断する(Ｓ１００３)。ここで、ステイプル領域に画像が載っていないとＣＰＵ１０１が判断した場合、自動調整処理を完了する。
【００３６】
一方、ステイプル領域に画像が載っているページがあるとＣＰＵ１０１が判断した場合または複数ページ集約レイアウトの設定がされていないといＣＰＵ１０１が判断した場合、ＣＰＵ１０１は定型変倍の設定がされているかどうかを判断する(Ｓ１００４)。ここで、定型変倍の設定があるとＣＰＵ１０１が判断した場合全てのページにおいて変倍処理によるステイプル領域確保操作を行い(Ｓ１００５)、自動調整完了する。
【００３７】
一方、Ｓ１００４で、定型変倍の設定がないとＣＰＵ１０１が判断した場合、さらに、ＣＰＵ１０１は、全てのページにおいて対角シフト操作のみでステイプル領域を確保できるか判断する(Ｓ１００６)。ここで、全てのページにおいて対角シフト操作のみでステイプル領域を確保できるとＣＰＵ１０１が判断した場合、ＤＲＡＭ１０４にスプールされた全ページの画像データに対して同じ移動量で対角シフト操作を行い(Ｓ１００７)、自動調整完了する。
【００３８】
一方、Ｓ１００６において、全てのページにおいて対角シフト操作のみでステイプル領域を確保できないとＣＰＵ１０１が判断した場合、ＣＰＵ１０１は、さらに、全ページにおいてＸ軸シフト操作のみでステイプル領域を確保できるかを判断する(Ｓ１００８)。ここで、全ページにおいてＸ軸シフト操作のみでステイプル領域を確保できるとＣＰＵ１０１が判断した場合、ＣＰＵ１０１は、ＤＲＡＭ１０４にスプールされた全ページの画像データに対して同じ移動量でＸ軸シフト操作を行い(Ｓ１００９)、自動調整完了する。
【００３９】
一方、Ｓ１００８で、全ページにおいてＸ軸シフト操作のみでステイプル領域を確保できないとＣＰＵ１０１が判断した場合は、ＣＰＵ１０１は、さらに、全ページにおいてＹ軸シフト操作のみでステイプル領域を確保できるかを判断する(Ｓ１０１０)。ここで、全ページにおいてＹ軸シフト操作のみでステイプル領域を確保できるとＣＰＵ１０１が判断した場合、ＣＰＵ１０１は、ＤＲＡＭ１０４にスプールされた全ページの画像データに対して同じ移動量でＹ軸シフト操作を行い(Ｓ１０１１)、自動調整完了する。
【００４０】
一方、全ページにおいてＹ軸シフト操作のみでステイプル領域を確保できないとＣＰＵ１０１が判断した場合は、ＣＰＵ１０１は、最後に全ページにおいてＸ軸シフト操作またはＹ軸シフト操作いずれかでステイプル領域を確保できるかを判断する(Ｓ１０１２)。ここで、全ページにおいてＸ軸シフト操作またはＹ軸シフト操作いずれかでステイプル領域を確保できるとＣＰＵ１０１が判断した場合、ＣＰＵ１０１は、Ｓ１０１３に処理を進める。Ｓ１０１３で、ＣＰＵ１０１は、ＤＲＡＭ１０４にスプールされた画像がステイプル領域にかかっているページの画像データのみに対しＸ軸シフト操作またはＹ軸シフト操作を行い(Ｓ１０１３)、自動調整完了する。
一方、全ページにおいてＸ軸シフト操作またはＹ軸シフト操作いずれかでステイプル領域を確保できないとＣＰＵ１０１が判断した場合、ＣＰＵ１０１は、調整が必要なページのみ変倍と対角線位置決めを行う(Ｓ１０１４)。それによって、ステイプル領域を確保して自動調整完了する。
これにより、綴じ処理する位置に画像データを印刷しないように加工する場合に、できるだけ印刷すべき画像データのサイズが縮小されない加工処理を優先して適用して、シートに印刷される画像の可読性が下がらないようにステイプル処理できる。
なお、縮小する加工処理以外の加工処理のうち、ユーザが適用する加工処理の優先順位をあらかじめ登録できるように構成して、ユーザの望む加工処理を速やかに適用できるように制御してもよい。
また、加工処理のみをネットワークを介して通信可能なサーバ装置で行い、例えばクラウド上で加工処理を行い、加工処理が適用された印刷データを受信して印刷するように構成してもよい。
また、本実施形態では、加工処理の例として、ステイプル等の綴じ処理を例に説明したが、加工処理は、その他の処理（例えば、シートに穴を空けるパンチ処理）であってもよい。
【００４１】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４２】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４３】
１０１  ＣＰＵ
１０２  ＲＯＭ
１０４  ＤＲＡＭ
１０９  シート処理部
【図１】
2014109605.tif 000003
【図２】
2014109605.tif 000004
【図３】
2014109605.tif 000005
【図４】
2014109605.tif 000006
【図５】
2014109605.tif 000007
【図６】
2014109605.tif 000008
【図７】
2014109605.tif 000009
【図８】
2014109605.tif 000010
【図９】
2014109605.tif 000011
【図１０】
2014109605.tif 000012